(57)【要約】【課題】番組の視聴を行う際などに、外部機器及び携帯端末の両方の操作を行う必要のない携帯端末及びその制御方法を提供する。【解決手段】放送波を受信する放送波受信部２１と、外部からの操作に基づいて、その操作に対応する操作内容のデータを出力する操作部１２を有する。また、操作部１２から出力される操作内容のデータを、外部機器を制御するためのリモコン信号として外部に送信するリモコン信号出力部１９と、操作部１２から出力される操作内容のデータを記憶する操作内容記憶部２２を有する。また、操作内容記憶部２２に記憶される操作内容のデータに基づいて、放送波受信部２１を制御する制御部２９を有する。【選択図】図１
2006109023.tif 000002
【特許請求の範囲】
【請求項１】
放送波を受信する放送波受信部と、
外部からの操作に基づいて、その操作に対応する操作内容のデータを出力する操作部と、
前記操作部から出力される操作内容のデータを、外部機器を制御するためのリモコン信号として外部に送信するリモコン信号出力部と、
前記操作部から出力される操作内容のデータを記憶する操作内容記憶部と、
前記操作内容記憶部に記憶される操作内容のデータに基づいて、前記放送波受信部を制御する制御部と、
を有することを特徴とする携帯端末。
【請求項２】
前記制御部に対して現在時刻のデータを出力するクロックを更に有し、
前記操作内容のデータが、録画予約する番組のチャンネルについてのチャンネルデータと、録画する番組が開始する時刻についての録画開始時刻データとを含み、
前記制御部は、前記操作内容記憶部に記憶される録画開始時刻データと、前記クロックから出力される現在時刻のデータに基づいて、前記操作内容記憶部に記憶されているチャンネルデータで指定されるチャンネルの放送波を受信するように前記放送波受信部を制御することを特徴とする請求項１に記載の携帯端末。
【請求項３】
チャンネルデータと録画開始時刻データを取得して前記操作部に出力する電子番組表データ受信部を更に有し、
前記操作部は、前記電子番組表データ受信部から受信したチャンネルデータと録画開始時刻データを前記操作内容記憶部に記録することを特徴とする請求項２に記載の携帯端末。
【請求項４】
前記操作内容のデータが、前記外部機器のチャンネルを制御するチャンネルデータを含み、
前記制御部は、前記操作内容記憶部に記憶されるチャンネルデータで指定されるチャンネルの放送波を受信するように前記放送波受信部を制御することを特徴とする請求項１に記載の携帯端末。
【請求項５】
前記制御部は、前記操作部から操作内容のデータとして前記外部機器の電源を切断する電源切断データが出力された場合に、前記操作内容記憶部に記憶されるチャンネルデータで指定されるチャンネルの放送波を受信するように前記放送波受信部を制御することを特徴とする請求項４に記載の携帯端末。
【請求項６】
前記操作内容のデータが、前記外部機器の電源を投入する電源投入データを含み、
前記制御部は、前記操作内容記憶部から前記電源投入データを読み出した場合に、前記放送波受信部で受信しているチャンネルについてのチャンネルデータを、前記リモコン信号出力部からリモコン信号として外部に送信することを特徴とする請求項１に記載の携帯端末。
【請求項７】
前記制御部は、前記操作内容記憶部から前記電源投入データを読み出した場合に、前記放送波受信部が放送波を受信するのを停止することを特徴とする請求項６に記載の携帯端末。
【請求項８】
外部からの操作に基づいて、その操作に対応する操作内容のデータを出力する第１のステップと、
前記第１のステップで出力された操作内容のデータを、外部機器を制御するためのリモコン信号として外部に送信する第２のステップと、
前記第１のステップで出力された操作内容のデータを記憶する第３のステップと、
前記第３のステップで記憶された操作内容のデータに基づいて、放送波受信部の制御を行う第４のステップと、
を有することを特徴とする携帯端末の制御方法。
【発明の詳細な説明】
【技術分野】
【０００１】
本発明は、地上波デジタル放送、地上波アナログ放送、衛星デジタル放送、衛星アナログ放送、ケーブルテレビ放送などの放送波を受信することが可能な携帯端末及びその制御方法に関する。
【背景技術】
【０００２】
近年、携帯電話端末を始めとする携帯端末には非常に多くの機能が盛り込まれている。例えば、赤外線などの通信手段を備え、テレビ放送受信機やビデオレコーダーなどの電化製品のリモコンとして機能する携帯端末も商品化されている。
この技術に関しては、特許文献1において、ＥＰＧ（Electric Program Guide：電子番組表）データを利用した番組視聴または録画のタイマー予約が可能な携帯端末が開示されている。
【０００３】
更に今後、携帯端末への搭載が期待されている機能として、テレビ受信機能がある。現在、アナログ放送に代わる新しい放送方式である地上波デジタル放送の準備が進んでいる。この地上波デジタル放送の技術規格ＩＳＤＢ−Ｔ（Integrated Services Digital Broadcasting-Terrestrial）では、変調方式に多数の搬送波（キャリア）を使う直交波周波数分割多重（ＯＦＤＭ：Orthogonal Frequency Division Multiplexing）が採用され、ビルによる反射など複数の伝播経路(マルチパス)によるゴースト妨害抑制が可能となっている。
【０００４】
更に、ＩＳＤＢ−Ｔは移動体への安定した受信が可能となることが大きな特徴の一つとして挙げられており、携帯電話端末などの移動体端末向けの放送サービスに大きな期待が寄せられている。近い将来には地上波デジタル放送の受信が可能なテレビ受信機能付携帯端末が開発され市場に投入されることが予想される。
【特許文献１】特開２００２−２５２７８９号公報
【発明の開示】
【発明が解決しようとする課題】
【０００５】
本発明は、上記事情を考慮してなされたもので、その目的は、番組の視聴を行う際などに、外部機器及び携帯端末の両方の操作を行う必要のない携帯端末及びその制御方法を提供することにある。
【課題を解決するための手段】
【０００６】
請求項１に記載の発明は、放送波を受信する放送波受信部と、外部からの操作に基づいて、その操作に対応する操作内容のデータを出力する操作部と、前記操作部から出力される操作内容のデータを、外部機器を制御するためのリモコン信号として外部に送信するリモコン信号出力部と、前記操作部から出力される操作内容のデータを記憶する操作内容記憶部と、前記操作内容記憶部に記憶される操作内容のデータに基づいて、前記放送波受信部を制御する制御部とを有することを特徴とする携帯端末である。
【０００７】
また、請求項２に記載の発明は、前記制御部に対して現在時刻のデータを出力するクロックを更に有し、前記操作内容のデータが、録画予約する番組のチャンネルについてのチャンネルデータと、録画する番組が開始する時刻についての録画開始時刻データとを含み、前記制御部は、前記操作内容記憶部に記憶される録画開始時刻データと、前記クロックから出力される現在時刻のデータに基づいて、前記操作内容記憶部に記憶されているチャンネルデータで指定されるチャンネルの放送波を受信するように前記放送波受信部を制御することを特徴とする請求項１に記載の携帯端末である。
【０００８】
また、請求項３に記載の発明は、チャンネルデータと録画開始時刻データを取得して前記操作部に出力する電子番組表データ受信部を更に有し、前記操作部は、前記電子番組表データ受信部から受信したチャンネルデータと録画開始時刻データを前記操作内容記憶部に記録することを特徴とする請求項２に記載の携帯端末である。
【０００９】
また、請求項４に記載の発明は、前記操作内容のデータが、前記外部機器のチャンネルを制御するチャンネルデータを含み、前記制御部は、前記操作内容記憶部に記憶されるチャンネルデータで指定されるチャンネルの放送波を受信するように前記放送波受信部を制御することを特徴とする請求項１に記載の携帯端末である。
【００１０】
また、請求項５に記載の発明は、前記制御部は、前記操作部から操作内容のデータとして前記外部機器の電源を切断する電源切断データが出力された場合に、前記操作内容記憶部に記憶されるチャンネルデータで指定されるチャンネルの放送波を受信するように前記放送波受信部を制御することを特徴とする請求項４に記載の携帯端末である。
【００１１】
また、請求項６に記載の発明は、前記操作内容のデータが、前記外部機器の電源を投入する電源投入データを含み、前記制御部は、前記操作内容記憶部から前記電源投入データを読み出した場合に、前記放送波受信部で受信しているチャンネルについてのチャンネルデータを、前記リモコン信号出力部からリモコン信号として外部に送信することを特徴とする請求項１に記載の携帯端末である。
【００１２】
また、請求項７に記載の発明は、前記制御部は、前記操作内容記憶部から前記電源投入データを読み出した場合に、前記放送波受信部が放送波を受信するのを停止することを特徴とする請求項６に記載の携帯端末である。
【００１３】
また、請求項８に記載の発明は、外部からの操作に基づいて、その操作に対応する操作内容のデータを出力する第１のステップと、前記第１のステップで出力された操作内容のデータを、外部機器を制御するためのリモコン信号として外部に送信する第２のステップと、前記第１のステップで出力された操作内容のデータを記憶する第３のステップと、前記第３のステップで記憶された操作内容のデータに基づいて、放送波受信部の制御を行う第４のステップとを有することを特徴とする携帯端末の制御方法である。
【発明の効果】
【００１４】
請求項１に記載の発明では、操作部から出力される操作内容のデータを、外部機器に対してリモコン信号として送信するとともに、その操作内容のデータに基づいて、携帯端末の放送波受信部で受信する放送波の制御を行うようにした。
このため、ユーザーは一度の操作で携帯端末及び外部機器を操作することが可能になり、ユーザーの利便性を向上させることができる。
【００１５】
また、請求項２に記載の発明では、チャンネルデータ、録画開始時刻データをリモコン信号として外部機器に出力するとともに、チャンネルデータ、録画開始時刻データに基づいて放送波受信部で放送波を受信するようにした。
このため、ユーザーは録画予約ミスなどがあったとしても録画予約した番組を見逃すことなく確実に視聴することが可能となる。
【００１６】
また、請求項３に記載の発明では、チャンネルデータ、録画開始時刻データを、電子番組表データ受信部を介して取得するようにした。
このため、ユーザーがチャンネルデータ、録画開始時刻データを操作部から入力する労力を大幅に軽減することが可能となる。
【００１７】
また、請求項４に記載の発明では、外部機器に対して送信するチャンネルデータを、操作内容記憶部に記憶しておき、そのチャンネルデータに基づいて放送波受信部で受信する放送波を制御するようにした。
このため、ユーザーが携帯端末の操作部を用いて放送波の設定を行わなくても、放送波受信部で受信する放送波の設定を行うことが可能になり、ユーザーの利便性を向上させることができる。
【００１８】
また、請求項５に記載の発明では、制御部により外部機器の電源が切断された場合に、携帯端末の放送波受信部を制御するようにした。
このため、ユーザーが外出する際などに、外部機器の電源を切断すると、自動的に携帯端末に番組を表示させることができるので、番組を見逃すことなく継続的に視聴することが可能となる。
【００１９】
また、請求項６に記載の発明では、操作内容記憶部から外部機器の電源を投入する電源投入データが読み出された時に、放送波受信部で受信している放送波のチャンネルについてのチャンネルデータをリモコン信号出力部に出力するようにした。
このため、ユーザーが外部機器に対してチャンネルの設定を行う必要がなくなり、ユーザーの利便性を向上させることができる。
【００２０】
また、請求項７に記載の発明では、制御部が操作内容記憶部から電源投入データを読み出した時に、携帯端末の放送波受信部で放送波を受信するのを停止するようにした。
このため、ユーザーが外部機器の電源を投入にした後、携帯端末の操作を行わなくても自動的に放送波受信部で放送波を受信するのを停止させることができ、ユーザーの労力を軽減することが可能となる。
【００２１】
また、請求項８に記載の発明では、外部からの操作に基づく操作内容のデータを操作部から出力し、その操作内容のデータを外部機器にリモコン信号として出力するとともに、その操作内容のデータに基づいて放送波受信部の制御を行うようにした。
このため、ユーザーは一度の操作で携帯端末及び外部機器を操作することが可能になり、ユーザーの利便性を向上させることができる。
【発明を実施するための最良の形態】
【００２２】
以下、図面を参照し、本発明の実施形態による携帯端末１０について説明する。
図２は本発明の実施形態による携帯端末１０と外部機器１８の外観を示す図である。携帯端末１０は、映像表示部１１、操作部１２、本体ケース１３、アンテナ１４、スピーカ１５、イヤホンジャック１６、リモコン信号出力部１９を有している。
映像表示部１１としては、例えば、液晶ディスプレイ（ＬＣＤ：Liquid Crystal Display）が用いられる。
【００２３】
携帯端末１０は、携帯電話端末としても、テレビ放送受信機としても、また、テレビ放送受信機１８ａやビデオレコーダー１８ｂなどの外部機器１８のリモコン装置としても使用できる端末である。
なお、ビデオレコーダー１８ｂとしては、ビデオテープレコーダー、ＤＶＤ（Digital Versatile Disk）レコーダー、ＨＤＤ（Hard Disk Drive）レコーダー、その他の記憶媒体を用いるレコーダー、又はそれらと同等の機能を持つＰＣ（Personal Computer）を使用することができる。
【００２４】
操作部１２は、ユーザーが携帯端末１０に対して指示を与える際に使用される。操作部１２はリモコン切り替えボタン１０１と、電源ボタン１０２と、上下左右の矢印ボタン１０３ａ〜１０３ｄと、決定ボタン１０３ｅと、数字の「０」〜「９」を入力するテンキー１０４を有する。
リモコン切り替えボタン１０１は、電源の投入あるいは切断の操作や受信する放送波の選択などを外部機器１８と携帯端末１０のどちらに対して行うかを切り替える。リモコン切り替えボタン１０１は、押される度に外部機器１８に対する操作モードと、携帯端末１０に対する操作モードを切り替える。
電源ボタン１０２は、ユーザーが携帯端末１０や外部機器１８に対して電源を投入あるいは切断する際に使用される。矢印ボタン１０３ａ〜１０３ｄや決定ボタン１０３ｅは、映像表示部１１に表示されるアイコンを選択する際や、受信する放送波を選択する際に使用される。
テンキー１０４は、携帯端末１０で受信する放送波を選択する際や、後述する番組録画予約のためのチャンネル、録画開始時刻、録画終了時刻あるいは番組コードの入力する際などに使用される。外部機器１８に対する操作モードでは、操作部１２は押されたボタンに対応する電気信号をリモコン操作出力部１９に出力するとともに、押されたボタンに対応する操作内容のデータを操作内容記憶部２２に記憶する。
【００２５】
アンテナ１４は、携帯端末１０を携帯電話端末として使用するときに、基地局等との間の電波の送受信に用いられる。また、アンテナ１４は、携帯端末１０をテレビ放送受信機として使用するときに、デジタル放送などの放送波を受信する際にも用いられる。アンテナ１４で受信される電波は、図示を省略した分波器によって、携帯電話端末に使用される周波数の電波と、テレビ放送受信機に使用される周波数の電波に分離される。また、携帯端末１０を携帯電話端末として使用する際に、携帯端末１０から送信される電波は、アンテナ１４から外部に送信される。
【００２６】
本体ケース１３には、スピーカ１５が取り付けられている。スピーカ１５は、携帯端末１０を携帯電話端末として使用する際には、通話相手の音声を出力するために用いられる。また、スピーカ１５は、携帯端末１０をテレビ放送受信機として使用する際には、デジタル放送の番組などの音声を出力するために用いられる。
なお、上述したスピーカ１５から音声信号を出力せずに、イヤホンジャック１６に接続されるイヤホン１７に対して、通話相手の音声やデジタルテレビ放送受信機の音声信号を出力するようにしてもよい。
【００２７】
携帯端末１０を携帯電話端末として使用する場合は、映像表示部１１には、電話を掛けてきた相手の名前や電話番号などが表示される。一方、携帯端末１０をテレビ放送受信機として使用する場合は、映像表示部１１には、地上波デジタル放送、地上波アナログ放送、衛星デジタル放送、衛星アナログ放送、ケーブルテレビ放送などの番組の映像等が表示される。
【００２８】
リモコン信号出力部１９は、携帯端末１０とは別に設置される外部機器１８を制御するリモコン信号を送信する際に使用される。リモコン信号出力部１９は、例えば、赤外線を発光することによりリモコン信号を外部機器１８に対して送信する。
携帯端末１０から外部機器１８に対してリモコン信号を送信することにより、外部機器１８として用いられるテレビ放送受信機１８ａの電源の投入やチャンネルの選択を行ったり、外部機器１８として用いられるビデオレコーダー１８ｂに所定の番組の録画予約を行ったりする。
【００２９】
次に、図２で説明した携帯端末１０の構成についてより詳細に説明する。
図１は、本発明の第１の実施形態による携帯端末１０ａの構成を示すブロック図である。
携帯端末１０ａは、操作部１２、リモコン信号出力部１９、操作内容記憶部２２、クロック２８、制御部２９、アンテナ１４、放送波受信部２１、スピーカ１５、映像表示部１１を有する。
なお、放送波受信部２１は、ＲＦ（Radio Frequency）処理部２４、復調部２５、デコード部２６を有する。
本実施形態では、外部機器１８がビデオレコーダー１８ｂである場合について説明する。
【００３０】
操作部１２は、ユーザーが番組予約録画の操作を行う際にボタンを押すと、その押されたボタンに対応する電気信号を出力する。操作部１２から出力される操作内容のデータ３０ａは、図３に示すように、録画する番組のチャンネルについてのデータであるチャンネルデータ３１、録画する番組が開始する時刻についてのデータである録画開始時刻データ３２、録画する番組が終了する時刻についてのデータである録画終了時刻データ３３などを含む。なお、本願明細書において、「時刻」には、時分だけでなく日付（年月日）も含まれるものとする。
番組録画予約の操作では、操作部１２は、リモコン切り替えボタン１０１が押されることにより携帯端末１０を外部機器１８に対する操作モードとした後、映像表示部１１に図４に示す画面を表示する。操作部１２は、矢印ボタン１０３ａ〜１０３ｄ、決定ボタン１０３ｅ、テンキー１０４が押されることにより、録画予約する番組のチャンネルＸ１と、録画開始時刻Ｘ２と、録画終了時刻Ｘ３のデータを入力する。図４は、８ＣＨの番組を８月１５日１５：００から１７：００まで録画予約する場合について示している。操作部１２にチャンネルＸ１、録画開始時刻Ｘ２、録画終了時刻Ｘ３のデータが入力された後、矢印ボタン１０３ａ〜１０３ｄ、決定ボタン１０３ｅにより予約アイコンＸ４が選択されると、リモコン信号出力部１９は外部機器１８であるビデオレコーダー１８ｂにリモコン信号を送信する。
【００３１】
操作部１２は、ユーザーにより入力されたチャンネルデータ３１及び録画開始時刻データ３２、録画終了時刻データ３３を、リモコン信号出力部１９に出力する。
リモコン信号出力部１９には、操作部１２からチャンネルデータ３１、録画開始時刻データ３２、録画終了時刻データ３３が入力される。また、リモコン信号出力部１９は、外部機器１８に対してチャンネルデータ３１、録画開始時刻データ３２、録画終了時刻データ３３をリモコン信号として送信する。
操作内容記憶部２２には、操作部１２から出力される操作内容のデータ３０ａが記録される。操作内容記憶部２２は、操作内容のデータ３０ａを構成するチャンネルデータ３１及び録画開始時刻データ３２を記憶するとともに、制御部２９は操作内容のデータ３０ａを読み出す。一方、クロック２８は、現在時刻のデータを制御部２９に対して出力する。
【００３２】
制御部２９には、操作内容記憶部２２から読み出された操作内容のデータ３０ａが入力されるとともに、クロック２８から現在時刻のデータが入力される。制御部２９は、クロック２８から入力される現在時刻と、操作内容のデータ３０ａに含まれる録画開始時刻データ３２で指定される時刻とを比較し、クロック２８から入力される現在時刻が、録画開始時刻データ３２で指定される時刻よりも大きくなると、制御データを放送波受信部２１に対して出力する。なお、制御部２９から出力される制御データにはチャンネルデータ３１が含まれる。
【００３３】
ＲＦ処理部２４は、制御部２９から制御データが入力されると、その制御データで指定される周波数の電波にチューニングすることにより、チャンネルデータ３１で指定される番組の放送波を受信する。ＲＦ処理部２４は、アンテナ１４から受信した放送波を、中間周波数に変換して復調部２５に対して出力する。
復調部２５には、ＲＦ処理部２４から中間周波数に変換された放送波の信号が入力される。復調部２５は、変調されている放送波の信号を復調する処理を行い、デコード部２６に対して出力する。
【００３４】
デコード部２６には、復調部２５から復調された放送波の信号が入力される。デコード部２６は、放送波の信号をデコードして、スピーカ１５及び映像表示部１１に対して出力する。
なお、上述したデコード部２６の処理は、地上波デジタル放送の場合に必要な処理であるため、携帯端末１０で地上波アナログ放送のみを受信する場合には、デコード部２６を設けなくてもよい。
スピーカ１５は、デコード部２６からの出力に基づく音声信号をスピーカで再生する。また、映像表示部１１は、デコード部２６からの出力に基づく映像信号を映像表示部１１で表示する。
【００３５】
以下、本実施形態の携帯端末１０ａの動作について説明する。
外部機器１８に対する録画予約の操作が携帯端末１０ａにより行われると、操作部１２は、チャンネルデータ３１、録画開始時刻データ３２、録画終了時刻データ３３を生成しリモコン信号出力部１９に対して出力する。リモコン信号出力部１９は、外部機器１８に対してチャンネルデータ３１、録画開始時刻データ３２、録画終了時刻データ３３をリモコン信号として送信する。操作部１２は、操作内容記憶部２２にチャンネルデータ３１、録画開始時刻データ３２、録画終了時刻データ３３を記録する。
制御部２９は、所定の時間間隔で操作内容記憶部２２からチャンネルデータと録画開始時刻データ３２を読み出す。また、制御部２９は、クロック２８から現在時刻のデータを取得する。制御部２９は、クロック２８から読み出した現在時刻が、操作内容記憶部２２から読み出した録画開始時刻３２で指定される時刻よりも大きくなると、放送波受信部２１に対してチャンネルデータ３１を含む制御データを出力する。放送波受信部２１は、チャンネルデータ３１で指定されるチャンネルを受信し、音声信号及び映像信号をスピーカ１５及び映像表示部１１から出力する。
【００３６】
次に、本実施形態による携帯端末１０ａの操作部１２の動作について説明する。
図５は、携帯端末１０ａの操作部１２の動作を示すフローチャートである。
操作部１２は、ボタンが押されると、押されたボタンに対応する操作内容のデータ３０ａを生成する（ステップＳ１１１）。ここで、操作内容のデータ３０ａは、チャンネルデータ３１、録画開始時刻データ３２、録画終了時刻データ３３などからなる。
次に、操作部１２はリモコン信号出力部１９に対して、操作内容のデータ３０ａを出力する（ステップＳ１１２）。
次に、操作部１２は操作内容記憶部２２に、操作内容のデータ３０ａを記録し、ステップＳ１１１に進む（ステップＳ１１３）。
【００３７】
次に、本実施形態による携帯端末１０ａの制御部２９の動作について説明する。
図６は、携帯端末１０ａの制御部２９の動作を示すフローチャートである。
制御部２９は操作内容記憶部２２に記憶されているチャンネルデータ３１、録画開始時刻データ３２を読み出す（ステップＳ１２１）。
制御部２９はクロック２８から現在時刻のデータを取得する（ステップＳ１２２）。
次に、制御部２９は、クロック２８から取得した現在時刻が、操作内容記憶部２２から読み出した時刻以上であるかを判断する（ステップＳ１２３）。クロック２８から取得した現在時刻が、操作内容記憶部２２から読み出した時刻よりも小さい場合には、ステップＳ１２３で「ＮＯ」と判断されステップＳ１２１に進む。クロック２８から取得した現在時刻が、操作内容記憶部２２から読み出した時刻以上である場合には、ステップＳ１２３で「ＹＥＳ」と判断されステップＳ１２４に進む。
【００３８】
次に、制御部２９は放送波受信部２１に対して放送波の受信を開始するための制御データを送信する（ステップＳ１２４）。制御データには、チャンネルデータ３１も含まれる。放送波受信部２１が受信する放送波は、チャンネルデータ３１で指定されるチャンネルにチューニングされる。
次に、制御部２９は、ステップＳ１２１で操作内容記憶部２２から読み出したチャンネルデータ３１及び録画開始時刻データ３２を削除し、ステップＳ１２１に進む（ステップＳ１２５）。
上述した本実施形態による携帯端末１０ａの制御方法を使用すれば、ユーザーが録画予約した番組の放送時刻になると、録画予約した番組が外部機器１８に録画されるとともに、携帯端末１０ａの映像表示部１１に表示される。よって、ユーザーは、録画予約した番組をリアルタイムで確実に視聴することが可能となる。
【００３９】
なお、上述した実施形態では、録画予約した番組の放送が開始されると、その放送番組を携帯端末１０ａの映像表示部１１（図２）で同時に表示する場合について説明したが、このような構成に限定されるものではない。
例えば、図７に示すように携帯端末１０ａの映像表示部１１に「録画予約番組放送時刻です。」（４１）というメッセージを表示することにより、録画予約した番組の放送が開始されることをユーザーに知らせるようにしてもよい。ここで、図７に示した映像表示部１１の「ＴＶ  ＯＮ」（４２）というアイコンを操作部１２により選択することにより、映像表示部１１に番組を表示させるように制御してもよい。
【００４０】
また、クロック２８から出力される現在時刻が、操作内容記憶部２２に記憶される録画開始時刻データ３２で指定される時刻以上になった場合に、スピーカ１５から音を発生させたり、バイブレータ機能によって携帯端末１０ａを振動させたりすることにより、ユーザーに録画予約した放送番組の放送が開始したことを知らせるようにしてもよい。
また、上述した実施形態では、操作内容のデータ３０ａとしてチャンネルデータ３１と録画開始時刻データ３２、録画終了時刻データ３３を携帯端末１０ａの操作部１２から入力する場合について説明したが、このような構成に限定されるものではない。
例えば、ユーザーが操作部１２から、新聞などに記載されている番組の録画コードを入力することにより操作内容のデータ３０ａを取得するようにすることもできる。
【００４１】
また、インターネットなどのネットワークを介して電子番組表データを取得して操作部１２に出力する電子番組表データ受信部を携帯端末１０ａに設けるようにしてもよい。この場合、電子番組表データは、チャンネルデータ３１、録画開始時刻データ３２、録画終了時刻データ３３を含む。また、操作部１２は、電子番組表データ受信部が受信する電子番組表を映像表示部１１に表示する。映像表示部１１に表示される電子番組表に基づくユーザーのボタン操作により、操作部１２はチャンネルデータ３１、録画開始時刻データ３２、録画終了時刻データ３３を生成する。操作部１２は、そのチャンネルデータ３１、録画開始時刻データ３２、録画終了時刻データ３３を操作内容記憶部２２に記録する。制御部２９は、操作内容記憶部２２からチャンネルデータ３１、録画開始時刻データ３２を読み出すことにより放送波受信部２１を制御する。
なお、電子番組表は、インターネットなどのネットワークに接続される電子番組表を配布するサーバを介して取得することができる。
電子番組表を用いて番組の録画予約を行う場合は、操作部１２は、リモコン切り替えボタン１０１が押されることにより携帯端末１を外部機器１８に対する操作モードとした後、映像表示部１１に図８に示す電子番組表予約録画画面を表示する。操作部１２は、矢印ボタン１０３ａ〜１０３ｄ、決定ボタン１０３ｅが押されることにより電子番組表の中で所定の番組を選択する。図８は、８ＣＨで１７：００から１９：００まで放送される「今夜の映画」を選択する場合について示している。操作部１２で所定の番組が選択された後、矢印ボタン１０３ａ〜１０３ｄ、決定ボタン１０３ｅにより予約アイコンＸ４が選択されると、リモコン信号出力部１９は外部機器１８であるビデオレコーダー１８ｂに対してリモコン信号を送信する。
【００４２】
次に、本発明の第２の実施形態による携帯端末１０ｂについて説明する。
図９は、本実施形態による携帯端末１０ｂの構成を示すブロック図である。本実施形態では外部機器１８がテレビ放送受信機１８ａである場合について説明する。
携帯端末１０ｂは、操作部１２、リモコン信号出力部１９、操作内容記憶部２２、制御部２９、アンテナ１４、放送波受信部２１、スピーカ１５、映像表示部１１を有する。
操作部１２は、ユーザーがボタン操作することにより操作内容のデータ３０ｂを生成する。操作内容のデータ３０ｂは、図１０（ａ）に示すように、外部機器１８に表示させるチャンネルについてのデータであるチャンネルデータ３１を含む場合がある。また、操作内容のデータ３０ｂは、図１０（ｂ）に示すように、外部機器１８の電源を切断するためのデータである電源切断データ３４を含む場合がある。
【００４３】
以下、本実施形態の携帯端末１０ｂの動作について説明する。
外部機器１８に対する操作モードで、矢印ボタン１０３ａ〜１０３ｄ、決定ボタン１０３ｅ、テンキー１０４が押されることにより、外部機器１８であるテレビ放送受信機１８ａが受信する放送波の選択が行われると、操作部１２は、チャンネルデータ３１を生成しリモコン信号出力部１９に対して出力する。リモコン信号出力部１９は、外部機器１８に対してチャンネルデータ３１をリモコン信号として送信する。操作部１２は、操作内容記憶部２２にチャンネルデータ３１を記録する。
その後、携帯端末１０ｂにより外部機器１８の電源が切断されると、操作部１２は、電源切断データ３４を生成しリモコン信号出力部１９に対して出力する。リモコン信号出力部１９は、外部機器１８に対して電源切断データ３４がリモコン信号として送信する。操作部１２は、操作内容記憶部２２に電源切断データ３４を記録する。
制御部２９は、操作内容記憶部２２から所定の間隔で操作内容のデータ３０ｂを読み出す。操作内容のデータ３０ｂに電源切断データ３４が含まれていた場合には、制御部２９は、操作内容記憶部２２からチャンネルデータ３１を読み出す。そして、制御部２９は、チャンネルデータ３１を含む制御データを放送波受信部２１に対して出力する。放送波受信部２１は、チャンネルデータ３１で指定されるチャンネルを受信するように制御を行う。
【００４４】
次に、本実施形態による携帯端末１０ｂの操作部１２の動作について説明する。
図１１は、携帯端末１０ｂの操作部１２の動作を示すフローチャートである。
操作部１２は、ボタンが押されると、押されたボタンに対応する操作内容のデータ３０ｂを生成する（ステップＳ２１１）。ここで、操作内容のデータ３０ｂは、チャンネルデータ３１や電源切断データ３４などからなる。
次に、操作部１２はリモコン信号出力部１９に対して、操作内容のデータ３０ｂを出力する（ステップＳ２１２）。
次に、操作部１２は操作内容記憶部２２に、操作内容のデータ３０ｂを記録し、ステップＳ２１１に進む（ステップＳ２１３）。
【００４５】
次に、本実施形態による携帯端末１０ｂの制御部２９の動作について説明する。
図１２は、携帯端末１０ｂの制御部２９の動作を示すフローチャートである。
制御部２９は操作内容記憶部２２に記憶されている操作内容のデータ３０ｂを読み出す（ステップＳ２２１）。
次に、制御部２９は、ステップＳ２２１で操作内容記憶部２２から読み出したデータ３０ｂが、電源切断データ３４であるか否かを判断する（ステップＳ２２２）。ステップＳ２２１で操作内容記憶部２２から読み出したデータ３０ｂが、電源切断データ３４ではない場合には、ステップＳ２２２で「ＮＯ」と判断されステップＳ２２１に進む。ステップＳ２２１で操作内容記憶部２２から読み出したデータ３０ｂが、電源切断データ３４である場合には、ステップＳ２２２で「ＹＥＳ」と判断されステップＳ２２３に進む。
次に、制御部２９は、操作内容記憶部２２に記憶されているチャンネルデータ３１を読み出す（ステップＳ２２３）。
次に、制御部２９は、ステップＳ２２３で読み出したチャンネルデータ３１を制御データに含めて、放送波受信部２１に対して出力することにより、放送波受信部２１においてチャンネルデータ３１で指定されるチャンネルの放送波を受信するように制御する（ステップＳ２２４）。
そして、制御部２９は、操作内容記憶部２２に記憶されているチャンネルデータ３１及び電源切断データ３４を削除し、ステップＳ２２１に進む（ステップＳ２２５）。
【００４６】
上述した本実施形態による携帯端末１０ｂの制御方法を使用すれば、外部機器１８のチャンネルを選択する際に使用する操作内容のデータ３０ｂを操作内容記憶部２２に記憶させておき、電源切断データ３４によって外部機器１８の電源を切断する際に、その操作内容のデータ３０ｂを使用して携帯端末１０ｂの放送波受信部２１で受信するチャンネルを選択するようにした。よって、外部機器１８の電源を切断した後、操作部１２で携帯端末１０ｂのチャンネル設定を行う必要がなくなるため、ユーザーの利便性を向上させることができる。
【００４７】
次に、本発明の第３の実施形態による携帯端末１０ｃについて説明する。
図１３は、本実施形態による携帯端末１０ｃの構成を示すブロック図である。本実施形態では外部機器１８がテレビ放送受信機１８ａである場合について説明する。
携帯端末１０ｃは、操作部１２、リモコン信号出力部１９、操作内容記憶部２２、制御部２９、アンテナ１４、放送波受信部２１、スピーカ１５、映像表示部１１を有する。
操作部１２は、ユーザーがボタン操作することにより操作内容のデータ３０ｃを生成する。操作内容のデータ３０ｃは、図１４に示すように、外部機器１８の電源を投入するためのデータである電源投入データ３５などを含む。
【００４８】
以下、本実施形態の携帯端末１０ｃの動作について説明する。
外部機器１８に対する操作モードで、電源ボタン１０２が押されることにより、外部機器１８であるテレビ放送受信機１８ａの電源が投入され放送波の受信が開始されると、操作部１２は、リモコン信電源投入データ３５を生成しリモコン信号出力部１９に対して出力する。操作部１２は、操作内容記憶部２２に電源投入データ３５を記録する。
制御部２９は、操作内容記憶部２２から所定の間隔で操作内容のデータ３０ｃを読み出す。操作内容のデータ３０ｃに電源投入データ３５が含まれていた場合には、制御部２９は、放送波受信部２１で受信しているチャンネルを検出し、そのチャンネルに対応するチャンネルデータ３１を生成する。そして、制御部２９は、チャンネルデータ３１をリモコン信号出力部１９に対して出力する。リモコン信号出力部１９は、チャンネルデータ３１及び電源投入データ３５をリモコン信号として外部機器１８に対して送信する。
【００４９】
次に、本実施形態による携帯端末１０ｃの操作部１２の動作について説明する。
図１５は、携帯端末１０ｃの操作部１２の動作を示すフローチャートである。
操作部１２は、ボタンが押されると、押されたボタンに対応する操作内容のデータ３０ｃを生成する（ステップＳ３１１）。ここで、操作内容のデータ３０ｃは、電源投入データ３５などからなる。
次に、操作部１２はリモコン信号出力部１９に対して、操作内容のデータ３０ｃを出力する（ステップＳ３１２）。
次に、操作部１２は操作内容記憶部２２に、操作内容のデータ３０ｃを記録し、ステップＳ３１１に進む（ステップＳ３１３）。
【００５０】
次に、本実施形態による携帯端末１０ｃの制御部２９の動作について説明する。
図１６は、携帯端末１０ｃの制御部２９の動作を示すフローチャートである。
制御部２９は操作内容記憶部２２に記憶されている操作内容のデータ３０ｃを読み出す（ステップＳ３２１）。
次に、制御部２９は、ステップＳ３２１で操作内容記憶部２２から読み出したデータ３０ｃが、電源投入データ３５であるか否かを判断する（ステップＳ３２２）。ステップＳ３２１で操作内容記憶部２２から読み出したデータ３０ｃが、電源投入データ３５ではない場合には、ステップＳ３２２で「ＮＯ」と判断されステップＳ３２１に進む。ステップＳ３２１で操作内容記憶部２２から読み出したデータ３０ｃが、電源投入データ３５である場合には、ステップＳ３２２で「ＹＥＳ」と判断されステップＳ３２３に進む。
次に、制御部２９は、放送波受信部２１で受信しているチャンネルを検出し、そのチャンネルに対応するチャンネルデータ３１を生成する（ステップＳ３２３）。
次に、制御部２９は、ステップＳ３２３で生成したチャンネルデータ３１をリモコン信号出力部１９に対して出力する（ステップＳ３２４）。
そして、制御部２９は、操作内容記憶部２２に記憶されている電源投入データ３５を削除し、ステップＳ３２１に進む（ステップＳ３２５）。
【００５１】
上述した本実施形態による携帯端末１０ｃの制御方法を使用すれば、制御部２９によって電源投入データ３５が読み出された場合に、放送波受信部２１で受信しているチャンネルについてのチャンネルデータ３１をリモコン信号出力部１９に出力するようにした。よって、外部機器１８の電源の投入を行った後、外部機器１８に対してチャンネルの設定を行う必要がなくなるため、ユーザーの利便性を向上させることができる
【００５２】
なお、上述した本実施形態における携帯端末１０ｃにおいて、制御部２９が操作内容記憶部２２から電源投入データ３５を読み出した場合に、リモコン信号出力部１９に対して電源投入データ３５を出力するとともに、制御部２９が放送波受信部２１で放送波を受信するのを停止するようにしてもよい。
このような構成にすることにより、ユーザーが外部機器１８の電源を投入した後、携帯端末１０ｃの操作を行わなくても自動的に映像表示部１１に番組等を表示させることを停止させることができ、ユーザーの労力を軽減することができる。よって、ユーザーが携帯端末１０ｃの映像表示部１１で番組を視聴しながら帰宅した際に、家の外部機器１８としてのテレビ放送受信機１８ａの電源を投入にすることにより、自動的に携帯端末１０ｃの映像表示部１１で番組が表示されることを停止させるなどの処理を行うことが可能になる。
【００５３】
以上、説明したように本発明の実施形態による携帯端末１０（１０ａ、１０ｂ、１０ｃ）によれば、携帯端末１０を持ち歩くことによって、いつでも、どこでも携帯端末１０で放送番組等を視聴することができる。
また、ユーザーが見たい番組を見逃すことなく視聴することができ、ユーザーが見たい番組の予約録画を確実に行うことができ、その設定がユーザーに負担無く容易に操作することができる。
【００５４】
なお、以上説明した実施形態において、図１、図９、図１３の操作部１２、デコード部２６、制御部２９などの機能を実現するためのプログラムをコンピュータ読み取り可能な記録媒体に記録して、この記録媒体に記録されたプログラムをコンピュータシステムに読み込ませ、実行することにより携帯端末１０の制御を行ってもよい。なお、ここでいう「コンピュータシステム」とは、ＯＳや周辺機器等のハードウェアを含むものとする。
【００５５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５６】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００５７】
地上波デジタル放送を受信することが可能な携帯電話端末の端末などに本発明を利用することが可能である。
【図面の簡単な説明】
【００５８】
【図１】本発明の第１の実施形態による携帯端末１０ａの構成を示すブロック図である。
【図２】本発明の実施形態による携帯端末１０と外部機器１８の外観を示す図である。
【図３】本実施形態による操作内容のデータ３０ａの構成を示す図である。
【図４】録画予約を行う際に携帯端末１０の映像表示部１１に表示される画面の一例である。
【図５】本実施形態による携帯端末１０ａの操作部１２の動作を示すフローチャートである。
【図６】本実施形態による携帯端末１０ａの制御部２９の動作を示すフローチャートである。
【図７】携帯端末１０ａの映像表示部１１に表示される画面の一例である。
【図８】電子番組表を用いて録画予約を行う際に携帯端末１０の映像表示部１１に表示される画面の一例である。
【図９】本発明の第２の実施形態による携帯端末１０ｂの構成を示すブロック図である。
【図１０】本実施形態による操作内容のデータ３０ｂの構成を示す図である。
【図１１】本実施形態による携帯端末１０ｂの操作部１２の動作を示すフローチャートである。
【図１２】本実施形態による携帯端末１０ｂの制御部２９の動作を示すフローチャートである。
【図１３】本発明の第３の実施形態による携帯端末１０ｃの構成を示すブロック図である。
【図１４】本実施形態による操作内容のデータ３０ｃの構成を示す図である。
【図１５】本実施形態による携帯端末１０ｂの操作部１２の動作を示すフローチャートである。
【図１６】本実施形態による携帯端末１０ｂの制御部２９の動作を示すフローチャートである。
【符号の説明】
【００５９】
１０（１０ａ、１０ｂ、１０ｃ）・・・携帯端末
１１・・・映像表示部
１２・・・操作部
１３・・・本体ケース
１４・・・アンテナ
１５・・・スピーカ
１６・・・イヤホンジャック
１７・・・イヤホン
１８・・・外部機器
１８ａ・・・テレビ放送受信機
１８ｂ・・・ビデオレコーダー
１９・・・リモコン信号出力部
２１・・・放送波受信部
２２・・・操作内容記憶部
２４・・・ＲＦ処理部
２５・・・復調部
２６・・・デコード部
２８・・・クロック
２９・・・制御部
【図１】
2006109023.tif 000003
【図２】
2006109023.tif 000004
【図３】
2006109023.tif 000005
【図４】
2006109023.tif 000006
【図５】
2006109023.tif 000007
【図６】
2006109023.tif 000008
【図７】
2006109023.tif 000009
【図８】
2006109023.tif 000010
【図９】
2006109023.tif 000011
【図１０】
2006109023.tif 000012
【図１１】
2006109023.tif 000013
【図１２】
2006109023.tif 000014
【図１３】
2006109023.tif 000015
【図１４】
2006109023.tif 000016
【図１５】
2006109023.tif 000017
【図１６】
2006109023.tif 000018